(57)【要約】  装置（１００）は、機械ケーシングに装置を固定するように構成された固定板（１０１）を具備する。装置は更に、固定板（１０１）から所定の距離を置いて固定板に連結された端板（１０３）と、固定板と端板との間を移動するように配設されたスライド（１０７）とを具備する。装置は更に、機械から取り外すべき弁／ケージ組立体（２７、４１）にスライド（１０７）を連結するように構成された連結機構（１３０）を含む。【選択図】図３
2015520345.tif 000002
【特許請求の範囲】
【請求項１】
機械ケーシング（３）の弁ハウジング（３９）から弁／ケージ組立体（２７、４１）を取り外すための装置（１００）であって、
前記機械ケーシング（３）に前記装置（１００）を固定するように構成された固定板（１０１）と、
前記固定板（１０１）から所定の距離を置いて前記固定板（１０１）に連結された端板（１０３）と、
前記固定板（１０１）と前記端板（１０３）との間を移動するように配設されたスライド（１０７）と、
前記弁ハウジング（３９）から取り外すべき弁／ケージ組立体（２７、４１）に前記スライド（１０７）を連結するように構成された連結機構（１３０）と
を具備する装置（１００）。
【請求項２】
前記固定板（１０１）と前記端板（１０３）との間に延びるガイドを具備し、前記スライド（１０７）が前記ガイドに沿って摺動移動可能である、請求項１に記載の装置（１００）。
【請求項３】
前記ガイドが、前記固定板（１０１）に拘束された第１の端部（１０５Ａ）と前記端板（１０３）に拘束された第２の端部（１０５Ｂ）とを有する複数のガイド棒（１０５）を具備し、前記スライド（１０７）が、前記ガイド棒（１０５）に沿った摺動移動のために配設されたブッシュ（１０９）を具備する、請求項１または２に記載の装置（１００）。
【請求項４】
前記固定板（１０１）と前記端板（１０３）との間の前記ガイドに沿って前記スライド（１０７）を移動させるためのスライド移動体を具備する、請求項１乃至３のいずれか１項に記載の装置（１００）。
【請求項５】
前記スライド移動体が、前記端板（１０３）および前記固定板（１０１）により回転自在に支持されかつ前記スライド（１０７）に拘束されたナット（１１９）と噛み合うねじ棒（１１１）を具備する、請求項４に記載の装置（１００）。
【請求項６】
前記連結機構（１３０）が、取り外すべき弁に連結するように構成された第１の端部（１３１Ａ）と前記スライド（１０７）に連結するように構成された第２の端部（１３１Ｂ）とを備えたタイロッド（１３１）を具備する、請求項１乃至５のいずれか１項に記載の装置（１００）。
【請求項７】
前記第１の端部（１３１Ａ）と前記第２の端部（１３１Ｂ）との間の位置で前記タイロッド（１３１）に着脱自在に係合可能であり、かつ前記タイロッド（１３１）に装着されたときに前記タイロッド（１３１）に対して横断方向に延びるケージ閉塞部材（１３３）を具備する、請求項１乃至６のいずれか１項に記載の装置（１００）。
【請求項８】
前記ケージ閉塞部材（１３３）が、前記スライド（１０７）に前記ケージ閉塞部材（１３３）を連結する補助ねじのためのねじ孔（１３３Ｈ）を備える、請求項１乃至７のいずれか１項に記載の装置（１００）。
【請求項９】
前記スライド（１０７）が、前記タイロッド（１３１）を受け入れるように配設され、かつ係止部材、好ましくは、前記タイロッド（１３１）の前記第２の端部（１３１Ｂ）に螺合されたナット（１３７）によって前記スライド（１０７）に前記タイロッド（１３１）を係止するように配設された、スライド（１０７）を貫通して延びる開口を備える、請求項１乃至８のいずれか１項に記載の装置（１００）。
【請求項１０】
前記タイロッド（１３１）が、前記第２の端部（１３１Ｂ）に延びる少なくとも１つのねじ部分を有する、請求項１乃至９のいずれか１項に記載の装置（１００）。
【請求項１１】
前記固定板（１０１）が、前記機械ケーシング（３）上のスタッドボルト（４５）に連結するための複数の貫通孔を具備する、請求項１乃至１０のいずれか１項に記載の装置（１００）。
【請求項１２】
前記固定板（１０１）が、異なる組のスタッドボルト（４５）に択一的に連結するための複数組の貫通孔を具備する、請求項１乃至１１のいずれか１項に記載の装置（１００）。
【請求項１３】
前記スライド（１０７）が、前記スライド（１０７）を前記機械ケーシング（３）に近接させたときに前記スタッドボルト（４５）を受け入れる開口を具備する、請求項１乃至１２のいずれか１項に記載の装置（１００）。
【請求項１４】
ケージ（４１）の開口（４２）に挿入されるように構成された滑り止めプラグ（１４１）であって、前記弁およびケージ（４１）が重力の影響下で不用意に滑り落ちるのを防止する前記滑り止めプラグ（１４１）を具備する、請求項１乃至１３のいずれか１項に記載の装置（１００）。
【請求項１５】
前記固定板（１０１）が略半円形状を有する、請求項１乃至１４のいずれか１項に記載の装置（１００）。
【請求項１６】
前記端板（１０３）が略半円形状を有する、請求項１乃至１５のいずれか１項に記載の装置（１００）。
【請求項１７】
少なくとも１つのアイボルト（１２７）を具備する、請求項１乃至１６のいずれか１項に記載の装置（１００）。
【請求項１８】
前記少なくとも１つのアイボルト（１２７）を前記スライド（１０７）に係合させる、請求項１７に記載の装置（１００）。
【請求項１９】
前記スライド（１０７）に係合させた２つのアイボルト（１２７）を具備する、請求項１７または１８に記載の装置（１００）。
【請求項２０】
前記弁／ケージ組立体（２７、４１）が前記弁ハウジング（３９）から取り外されたときに前記弁／ケージ組立体（２７、４１）を支持するように配設および構成された支持部材（１４３）を具備する、請求項１乃至１９のいずれか１項に記載の装置（１００）。
【請求項２１】
前記支持部材（１４３）が前記固定板（１０１）上に配設される、請求項２０に記載の装置（１００）。
【請求項２２】
少なくとも１つの弁／ケージ組立体（２７、４１）を備えた往復動圧縮機（１）と、請求項１乃至２１のいずれか１項に記載の装置（１００）とを具備するシステム。
【発明の詳細な説明】
【技術分野】
【０００１】
本明細書に開示された主題の実施形態は、一般に、機械ケーシング、例えば往復動圧縮機などの往復動機械のケーシング内に形成されたハウジングまたは座部から弁／ケージ組立体を取り外すための装置に関する。
【背景技術】
【０００２】
自動弁、例えば、いわゆるリング弁は、一般的に、様々な機械、具体的には往復動圧縮機に使用されている。往復動圧縮機は通常、シリンダが中に形成されたケーシングであって、その内部においてピストンがクランクと連結ロッド機構の制御下で摺動移動および往復移動可能であるケーシングを具備する。シリンダは、流体入口および流体出口と流体連通している。自動制御弁は、流体入口と流体出口にそれぞれ通じる吸込ダクトと吐出ダクトの両方に配設される。これらの弁は通常、機械のケーシング内に設けられたそれぞれの座部内に、ケージと一緒に、装着される。
【０００３】
図１は、現行技術の二重効果の往復動圧縮機１の断面図を図示している。圧縮機１は、第１の室７Ａと第２の室７Ｂとに分割されたシリンダ５を備えた圧縮機ケーシング３を具備する。ピストン９は、双方向矢印ｆ９に従う往復移動のためにシリンダ５内に配設される。ピストンの移動は、クロスヘッド１３に連結されたピストンロッド１１により制御される。クロスヘッド１３は、ランナ１５に沿って往復移動するとともに、１６において連結ロッド１７に連結される。次に、前記連結ロッド１７はクランクシャフト１９に連結され、このクランクシャフト１９は矢印ｆ１９に従ってシャフト軸線２０の周りを回転する。
【０００４】
流体吸込ダクト２１は、自動吸込弁２３および２４を介して室７Ａおよび室７Ｂと流体連通するように選択的に配置することができる。流体吐出ダクト２５は、それぞれの自動吐出弁２７および２９を介して室７Ａおよび室７Ｂと流体連通するように選択的に配置することができる。自動弁２３、２４、２７および２９は通常、リング弁である。
【０００５】
図２は、自動吐出弁２７および関連するケージの、図１の線ＩＩ−ＩＩによる、横断面を図示している。残りのリング弁２３、２４および２９は、吐出弁２７とほぼ同一である。
【０００６】
自動吐出弁２７は、弁座３１と弁押さえ３３とを具備する。弁座３１および弁押さえ３３は、それらの間に所定の空間を空けて中央ねじ３５によって互いに連結される。１組の閉鎖リング３７は、弁座３１と弁押さえ３３との間の空間内に配設される。各閉鎖リング３７は、閉鎖位置において、それぞれの組のばね３２により弁座３１に対して弾性付勢される。
【０００７】
自動吐出弁２７は、往復動圧縮機１の他の自動吐出弁２９および吸込弁２３、２４と同様に、圧縮機ケーシング３内に形成されたそれぞれのハウジング３９内に配設される。自動リング弁２７は、ケージ４１と一緒にハウジング３９内に装着される。弁／ケージ組立体２７、４１は、ハウジング３９を閉鎖する弁カバー４３によってハウジング３９内に保持される。弁カバー４３は、スタッドボルト４５およびナット４６によって密閉位置で圧縮機ケーシングにねじ止めされる。ケージ４１は、ケージ４１の内部をそれぞれの吸込ダクト２１または吐出ダクト２５と流体連通させる開口４２を含む。
【０００８】
通常、吐出弁２７および２９は、吸込弁２３および２４が往復動圧縮機１の上部に配設される一方で、図１に示すように、往復動圧縮機１の下部に配設される。弁／ケージ組立体２７、４１がハウジング３９内に装着されるときに、弁カバー４３を圧縮機ケーシング３に装着するより先に、弁／ケージ組立体２７、４１をハウジング３９内に保持するために、保持リングまたはスナップリング４７が使用される。
【０００９】
交換またはメンテナンスのためなどで吐出弁２７（または往復動圧縮機１の任意の他の弁）を取り外さなければならないときには、弁カバー４３および保持リング４７を取り外さなければならず、弁／ケージ組立体２７、４１をハウジング３９から引き抜かなければならない。
【００１０】
ケージ４１と弁２７により形成された組立体は、特に大型機械では、非常に嵩張りかつ重いものであり得る。典型的には、この種の弁／ケージ組立体は、１５〜５０ｋｇの重量を有し得る。
【００１１】
更に、上述したように、吐出側の弁／ケージ組立体は通常、往復動圧縮機１の下部に配設される。弁カバー４３および更に保持リング４７が取り外されると、弁／ケージ組立体２７、４１は、重力の影響下でハウジング３９から滑り出る。このことにより、特に大型機械では、弁／ケージ組立体を分解することは非常に危険である。
【先行技術文献】
【特許文献】
【００１２】
【特許文献１】米国特許第１４９２８７７号明細書
【発明の概要】
【００１３】
本開示は、安全な状態で弁／ケージ組立体を取り外すように設計および構成された装置または工具に関する。
【００１４】
例示的な一実施形態によれば、機械ケーシングに装置を固定するように構成された固定板と、固定板から所定の距離を置いて固定板に連結された端板と、固定板と端板との間を移動するように配設されたスライドと、前記機械から取り外すべき弁／ケージ組立体にスライドを連結するように構成された連結機構とを具備する装置が提供される。
【００１５】
装置は、弁／ケージ組立体を取り外さなければならない弁ハウジングの開口部の周りに、機械ケーシングに装着される。スライドを弁／ケージ機構に拘束して機械ケーシングから離れる方向に移動させ、これにより、関連するハウジングから弁／ケージ組立体を取り外す。したがって、作業者は、弁／ケージ組立体を手で把持して、ハウジングから弁／ケージ組立体を引っ張り出し、組立体がハウジングから取り外されたときに組立体の全重量を支持する労力から解放される。
【００１６】
本明細書に開示された主題の好ましい実施形態によれば、装置は、固定板と端板との間に延びるガイドを具備する。スライドは、ガイドに沿って摺動移動可能である。例えば、ガイドは、固定板から端板に延びる１つまたは複数の棒を具備し得る。有利には、例えばブッシュを用いて、スライドを棒に摺動自在に係合させることができる。移動体は、抜き取り動作において作業者を補助するために設けることができる。移動体は、固定板と端板との間のガイドに沿ってスライドを移動させるように設計および配設することができる。移動体は、有利には手で操作することできる。移動体は、例えば、スライドに拘束されたナットと噛み合うねじ棒を含み得る。ねじ棒を手動で回転させるために、クランクを設けることができる。電気モータもしくは油圧モータまたはねじ棒を回転させるための任意の他のサーボ機構などの、アクチュエータの使用も排除されない。スライドを移動させるために、回転するねじ棒の代わりに、油圧ジャッキまたは機械式ジャッキを使用することができる。
【００１７】
いくつかの実施形態において、弁／ケージ組立体にスライドを連結するための連結機構は、取り外すべき弁に連結するように構成された第１の端部とスライドに連結するように構成された第２の端部とを備えたタイロッドを具備し得る。タイロッドの第１の端部と第２の端部との間の位置でタイロッドに着脱自在に係合可能であるように設計および構成された、ケージ閉塞部材を設けることができる。ケージ閉塞部材は、弁ハウジング内に収容されたケージの縁部に係合するように、タイロッドに装着されたときに、弁ハウジングの幅全体にわたってタイロッドに対して横断方向に延びることができる。タイロッドにケージ閉塞部材を係止することにより、弁、ケージ、ケージ閉塞部材およびタイロッドは、スライドにタイロッドを固定して、スライドを固定板から離れる方向に移動させることにより弁ハウジングから抜き取ることができるユニットを形成する。
【００１８】
いくつかの実施形態において、スライドは、タイロッドを受け入れるように配設され、かつタイロッドの前記第２の端部に螺合されたナットによって、または任意の他の係止手段もしくは係止装置によってスライドにタイロッドを係止するように配設された、スライドを貫通して延びる開口を備える。
【００１９】
固定板は、弁ハウジングのカバーを閉じるためにケーシングに設けられたスタッドボルトによってケーシングに拘束することができる。いくつかの実施形態において、固定板は、異なる数のスタッドボルトまたは異なるスタッドボルト機構を有する異なる弁ハウジングに固定板を適用するために、異なるように配設された複数の貫通孔を有する。
【００２０】
スライドが弁ハウジングの周りのスタッドボルトに衝突することなくケーシングに接近できるように、好ましい実施形態において、スライドは、スライドを機械ケーシングに近接させたときに前記スタッドボルトを受け入れる貫通孔または開口を具備する。これにより、スライドをタイロッドに連結するために機械ケーシングのごく近傍に移動させることができるので、タイロッドをより短くすることが可能である。
【００２１】
使用上の安全性を高めるために、装置は、カバーおよびケージ保持リングが取り外されたときに、弁／ケージ組立体が関連するハウジングから不用意に滑り落ちるのを防止するために、弁ケージの孔に挿入されるように構成された滑り止めプラグを具備し得る。
【００２２】
本明細書に開示された主題はまた、少なくとも１つの弁／ケージ組立体を備えた往復動圧縮機と、上で説明したような、弁／ケージ組立体を取り外すための少なくとも１つの装置とを含むシステムを具備する。
【００２３】
特徴および実施形態は、以下に開示され、かつ更に、本説明に不可欠な部分を構成する添付の特許請求の範囲に明記される。上記の簡単な説明は、以下に続く詳細な説明をより良く理解できるとともに、当技術分野に対する本発明の貢献をより良く認識できるように、本発明の種々の実施形態の特徴を明記している。当然ながら、本発明の他の特徴が以下で説明され、これらの特徴は添付の特許請求の範囲に明記される。この点に関して、本発明の複数の実施形態を詳細に説明する前に、本発明の種々の実施形態が、それらの用途において、以下の説明に明記されるかまたは図面に示される構成の詳細および構成要素の配置に限定されないことを理解されたい。本発明は、他の実施形態も可能であり、種々の方法で実施および実行することが可能である。本明細書で用いられる表現および専門用語は、説明のためのものであって、限定するものと見なされるべきではないことを理解されたい。
【００２４】
そういうものとして、当業者であれば、本開示が基礎とする概念を、本発明の複数の目的を果たすための他の構造、方法および／またはシステムを設計する際の基礎として容易に利用できることを認識するであろう。それゆえ、特許請求の範囲は、それらが本発明の精神および範囲から逸脱しない限り、そのような同等の構成を含むものと見なされることが重要である。
【００２５】
本発明の開示された実施形態および本発明に伴う利点が、添付の図面に関連して考察されたときに、以下の詳細な説明を参照することにより、より良く理解されるようになるにつれ、これら実施形態および利点のより完全な認識を容易に得ることができる。
【図面の簡単な説明】
【００２６】
【図１】図１は、吸込側と吐出側に自動リング弁を備えた往復動圧縮機の断面図を図示する。
【図２】図２は、図１の線ＩＩ−ＩＩに沿った断面における、図１の圧縮機の吐出弁／ケージ組立体の断面図を図示する。
【図３】図３は、本開示による弁／ケージ取り外し装置の部分分解斜視図を図示する。
【図４】図４は、弁／ケージ取り外し工程の開始時に、開始位置にある図３の装置の部分側断面図を図示する。
【図５】図５は、滑り止めプラグを係止位置に回転させた、図４の装置の細部を図示する。
【図６】図６は、図４と同様に、往復動機械のケーシング内に設けられた弁ハウジングから弁／ケージ組立体が完全に抜き取られた後に到達する位置にある装置を図示する。
【図７Ａ】図７Ａは、弁／ケージ組立体を関連するハウジングから取り外すための一連の作業を図示する。
【図７Ｂ】図７Ｂは、弁／ケージ組立体を関連するハウジングから取り外すための一連の作業を図示する。
【図７Ｃ】図７Ｃは、弁／ケージ組立体を関連するハウジングから取り外すための一連の作業を図示する。
【図７Ｄ】図７Ｄは、弁／ケージ組立体を関連するハウジングから取り外すための一連の作業を図示する。
【図７Ｅ】図７Ｅは、弁／ケージ組立体を関連するハウジングから取り外すための一連の作業を図示する。
【図７Ｆ】図７Ｆは、弁／ケージ組立体を関連するハウジングから取り外すための一連の作業を図示する。
【図７Ｇ】図７Ｇは、弁／ケージ組立体を関連するハウジングから取り外すための一連の作業を図示する。
【図７Ｈ】図７Ｈは、弁／ケージ組立体を関連するハウジングから取り外すための一連の作業を図示する。
【図７Ｉ】図７Ｉは、弁／ケージ組立体を関連するハウジングから取り外すための一連の作業を図示する。
【図７Ｊ】図７Ｊは、弁／ケージ組立体を関連するハウジングから取り外すための一連の作業を図示する。
【図７Ｋ】図７Ｋは、弁／ケージ組立体を関連するハウジングから取り外すための一連の作業を図示する。
【図７Ｌ】図７Ｌは、弁／ケージ組立体を関連するハウジングから取り外すための一連の作業を図示する。
【図７Ｍ】図７Ｍは、弁／ケージ組立体を関連するハウジングから取り外すための一連の作業を図示する。
【図７Ｎ】図７Ｎは、弁／ケージ組立体を関連するハウジングから取り外すための一連の作業を図示する。
【図７Ｏ】図７Ｏは、弁／ケージ組立体を関連するハウジングから取り外すための一連の作業を図示する。
【図７Ｐ】図７Ｐは、弁／ケージ組立体を関連するハウジングから取り外すための一連の作業を図示する。
【発明を実施するための形態】
【００２７】
例示的な実施形態の以下の詳細な説明では、添付の図面を参照する。異なる図面における同じ参照番号は、同じかまたは類似の要素を示す。加えて、図面は必ずしも原寸に比例したものではない。また、以下の詳細な説明は、本発明を限定するものではない。むしろ、本発明の範囲は、添付の特許請求の範囲により定義される。
【００２８】
本明細書全体を通して、「一実施形態」、「ある実施形態」または「いくつかの実施形態」という場合、ある実施形態に関連して説明する特定の特徴、構造、または特性が、開示された主題の少なくとも１つの実施形態に含まれることを意味する。したがって、本明細書全体を通して種々の箇所で「一実施形態において」、「ある実施形態において」または「いくつかの実施形態において」という表現が見られるが、必ずしも同じ実施形態について言及しているわけではない。更に、特定の特徴、構造、または特性を、１つまたは複数の実施形態においてあらゆる好適な態様で組み合わせてもよい。
【００２９】
図面では、往復動圧縮機の弁ハウジングから弁／ケージ組立体を取り外すための装置が全体として１００で示されている。添付の図面に開示された実施形態において、装置１００は、取り外すべき弁／ケージ組立体のハウジングの周りに、往復動圧縮機のケーシングに取り付けられるように設計された固定板１０１を具備する。固定板１０１は、スペーサ要素によって固定板１０１から所定の距離Ｄを置いて配設された端板１０３に連結される。固定板１０１は、装置が圧縮機ケーシングに取り付けられたときに、弁ハウジングから弁／ケージ組立体を取り外すのを固定板１０１が妨げないような形状とされる。有利には、固定板は略半円形状を有する。好ましくは、端板１０３もまた略半円形状である。
【００３０】
まず、弁／ケージ取り外し装置の構造について、図３〜図６を参照して説明する。これらの図では、先と同様に符号２７、４１で示された弁／ケージ組立体、および符号３９で示された弁ハウジングが破線で示されている。一連の図７Ａ〜図７Ｐは、往復動圧縮機のケーシング内の関連するハウジングから弁／ケージ組立体を取り外すために、図３〜図６の装置を使用して実行される作業を図示している。機械の他の部品から同様の機械構成要素を取り外すために、同じ装置を使用できることが理解されよう。
【００３１】
ここで図３〜図６を参照すると、図示の実施形態において、固定板１０１と端板１０３が、複数のロッド１０５により互いに連結されている。図面に示す例では、４つのロッド１０５が設けられている。異なる数のロッドを想定することもできる。
【００３２】
各ロッド１０５は、固定板１０１に拘束された第１の端部１０５Ａと、端板１０３に拘束された第２の端部１０５Ｂとを具備する。ロッド１０５は、例えば、円形横断面を有し得る。スライド１０７は、固定板１０１と端板１０３との間に移動可能に配設される。ロッド１０５は、前記スライド１０７のためのガイドを形成する。スライド１０７は、ロッド１０５に摺動自在に係合する軸受またはブッシュ１０９を具備する。
【００３３】
スライド１０７の双方向矢印ｆ１０７に従う移動を制御するために、固定板１０１と端板１０３との間にスライド移動体が設けられる。図面に開示された例示的な実施形態において、スライド移動体は、ねじ棒１１１を具備し、このねじ棒１１１は、端板１０３に拘束された第１の軸受１１３および固定板１０１に拘束された第２の軸受１１５により回転自在に支持される。軸受１１３を越えて突出するねじ棒１１１の端部は、クランク１１７に対して相対回動不能に連結される（ｔｏｒｓｉｏｎａｌｌｙ  ｃｏｎｎｅｃｔｅｄ）。ねじ棒１１１は、スライド１０７に拘束されたナット１１９と噛み合う。一方向または他方向にクランク１１７を回転させることにより、スライド１０７が固定板１０１と端板１０３との間で双方向矢印ｆ１０７に従って移動する。
【００３４】
固定板１０１は、複数の貫通孔１２１、１２３を備える。装置１００を使用する手法の以下の説明からより明らかになるように、孔１２１および／または孔１２３は、装置１００によって弁／ケージ組立体を取り外さなければならないそれぞれの弁ハウジングのカバーを装着するためにケーシングに設けられるスタッドボルトによって、圧縮機のケーシングに固定板１０１および装置１００全体を係止するために使用される。
【００３５】
図面に例として図示するように、好ましい実施形態では、同じ圧縮機列の同じ機械または異なる機械が、異なる寸法の弁ハウジングおよび／または異なるスタッドボルト機構を有する弁ハウジングを具備し得るので、固定板１０１は、それぞれ少なくとも２組の貫通孔１２１および１２３を具備し、これらの貫通孔１２１および１２３は、異なるように配設されたスタットボルトを有する異なる弁ハウジングのいずれか１つに固定板１０１を連結するために択一的に使用される。このことにより、機械の全ての弁／ケージ組立体または更には同じ設備の異なる機械の弁／ケージ組立体を取り外すために同じ装置１００を使用することが可能となる。他のあまり有利でない実施形態では、固定板１０１に１組の貫通孔１２１または１２３しか設けないこともできる。
【００３６】
装置１００は更に、後に解説するように、装置１００を取り扱うために使用される、スライド１０７に螺合されたアイボルト１２７を具備する。
【００３７】
装置１００は更に、関連する弁ハウジングから取り外すべき弁／ケージ組立体にスライド１０７を連結するための連結機構を具備する。連結機構は、符号１３０で示されている。いくつかの実施形態において、連結機構１３０は、第１のタイロッド端部１３１Ａと第２のタイロッド端部１３１Ｂとを有するタイロッド１３１を具備する。第１のタイロッド端部１３１Ａは、関連する弁ハウジングから取り外すべき、先と同様に符号２７で示された自動リング弁の中央ねじ３５に連結されるように設計された雌ねじ孔を有する。反対側の第２のタイロッド端部１３１Ｂは、後により明らかになる目的のために、タイロッド１３１の軸方向延在部の一部分に沿って延びる雄ねじ山を有する。
【００３８】
連結機構１３０は更に、ケージ閉塞部材１３３を具備する。ケージ閉塞部材１３３は、略Ｕ字形またはＣ字形であり、タイロッド１３１が貫通して延びることができる中央貫通孔を有する。タイロッド１３１にケージ閉塞部材１３３を保持するために、ナット１３５が使用される。図７Ａ〜図７Ｐとの関連で本明細書において以下により詳細に説明するように、関連するハウジングから弁ケージ組立体を取り外すために装置１００を使用するときに、スライド１０７にタイロッド１３１を係止するために、更なるナット１３７が設けられる。
【００３９】
スライド１０７は、側方に開口可能である座部１０７Ａであって、スライド１０７を越えて端板１０３側に突出するように、タイロッド１３１の終端部分を導入することができ、その結果、ナット１３７をタイロッド１３１の第２の端部１３１Ｂに螺合することができる座部１０７Ａを有する。
【００４０】
図面に図示された実施形態において、装置１００は更に、カバーが取り外された後でかつ装置１００が圧縮機ケーシングに適切に連結される前に、ケージを適所に一時的に保持するために、取り外すべきケージの開口の１つに挿入されるように設計された滑り止めプラグ１４１を具備する。滑り止めプラグは、弁／ケージ組立体が重力の影響下で不用意にハウジングから滑り落ちるのを防止する。
【００４１】
装置１００の主要な構成要素を説明してきたが、ここで、往復動圧縮機のケーシング内の関連するハウジングから弁／ケージ組立体を取り外すために装置１００を使用する手法について、一連の図７Ａ〜図７Ｐを参照して詳細に説明する。弁／ケージ組立体および弁ハウジングは、図１および図２に関連して本明細書において上で説明したものとほぼ同じであり、同一のまたは対応する部品および構成要素を示すために、同じ参照番号が使用されている。
【００４２】
図７Ａには、カバーが取り外された後の、往復動圧縮機のケーシング３内に設けられた弁ハウジング３９が示されている。圧縮機のケーシング３にカバーを係止するために使用されるスタッドボルトは、符号４５で示されている。図７Ａに示す実施形態では、６つのスタッドボルト４５が設けられている。
【００４３】
図２に関連して上で説明してきたものと同様に、自動リング弁２７は、関連するケージ４１と一緒に、ハウジング３９内に収容される。ケージ４１は、吐出ダクト２５とケージ４１の内部との間の流体連通のための開口４２を備える。
【００４４】
図７Ａには、ケージ４１および弁２７をハウジング３９内に保持する保持リング４７も示されている。
【００４５】
好ましい使用態様では、滑り止めプラグ１４１は、開口４２の１つに導入される。滑り止めプラグ１４１は、２つの正反対の位置において滑り止めプラグ１４１から径方向に延びる弾性突起１４１Ａを備え得る。弾性突起１４１Ａは、図４および図５を比較して滑り止めプラグ１４１を約９０°回転させることにより、挿入後にケージ４１の開口４２内に滑り止めプラグ１４１を係止するために使用される。図７Ｂには、最終係止位置を得るために、矢印ｆ１４１に従って約９０°回転させる前の、挿入位置にある滑り止めプラグ１４１が示されている。
【００４６】
ここで、滑り止めプラグ１４１は、安全にケージ４１の開口４２に係合し、保持リング４７の取り外し後に、弁／ケージ組立体２７、４１がハウジング３９から滑り落ちるのを防止する。したがって、作業者は、弁／ケージ組立体取り外しの後続のステップを安全な状態で行うことができる。
【００４７】
次のステップでは、保持リング４７（図７Ｃ参照）を取り外す。（ケージ４１の外面を越えて突出する）滑り止めプラグ１４１と圧縮機ケーシング３内に設けられた吐出ダクト２５との干渉により、ケージ４１がハウジング３９から滑り落ちるのを防止する。
【００４８】
次のステップは、弁ハウジング３９の内部に配設された弁２７のねじ３５にタイロッド１３１を取り付けることからなる。これは、タイロッド１３１の第１の端部１３１Ａをねじ３５に螺合することにより得られる。
【００４９】
その後（図７Ｄ参照）、ケージ閉塞部材１３３が、図７Ｅに示すように、ナット１３５を螺合することによりタイロッド１３１に装着されかつ係止される。ケージ閉塞部材１３３は、有利には、ハウジング３９に対して外側に向いたケージ４１の円形縁部４１Ｅと協働する２つの側方凹部１３３Ａを備え得る。したがって、ケージ閉塞部材１３３はここで、ナット１３５とケージ４１の円形縁部４１Ｅとの間に係止され、弁２７は、タイロッド１３１によってケージ４１に拘束される。
【００５０】
次のステップは図７Ｆに示されている。固定板１０１、端板１０３、スライド１０７、ロッド１０５およびこれらに連結された他の部材により形成されたユニットは、弁／ケージ組立体２７、４１を取り外さなければならないハウジング側に寄せられる。装置１００を容易に取り扱うために、ストラップＳを使用することができる。ストラップＳは、スライド１０７に設けられたアイボルト１２７に通すことができる。
【００５１】
後続の図７Ｇで分かるように、スタッドボルト４５が固定板１０１の孔１２１または１２３を通して導入され、それら孔から突出するように、装置１００を圧縮機ケーシング３に対して移動させる。次に、スタッドボルト４５にナット４６を螺合することにより、固定板１０１が圧縮機ケーシング３に取り付けられる。
【００５２】
圧縮機ケーシング３側に装置１００を運ぶ際に、スライド１０７は、固定板１０１と端板１０３との間の中間位置に位置決めされ、その結果、装置１００のバランスが取られ、圧縮機ケーシング３に接近するように装置１００をストラップＳに容易に吊るすことができる。
【００５３】
上述のように、固定板１０１は半円形状であることが好ましく、固定板１０１の内半径は、弁ハウジング３９の半径よりも僅かに大きい。固定板１０１が圧縮機ケーシング３に拘束されたときに、ケージ閉塞部材１３３が、固定板１０１を貫通して突出し、タイロッド１３１が、ケージ閉塞部材１３３を越えて装置１００の端板１０３側に突出する。
【００５４】
ここで、スライド１０７は、図７Ｈおよび図７Ｉに示すように、クランク１１７を回転させることにより、ガイド棒１０５に沿って固定板１０１側に移動させることができる。図７Ｉの最終位置において、スライド１０７は、タイロッド１３１の第２の端部１３１Ｂがスライド１０７を越えて開口１０７Ａを貫通して突出し、かつ図７Ｊに示すように、ナット１３７をタイロッド１３１の端部１３１Ｂに螺合することができるような、固定板１０１からの所定の距離を置いて位置決めされる。このように、タイロッド１３１、ケージ閉塞部材１３３、ケージ４１および弁２７は、スライド１０７に連結される。
【００５５】
スライド１０７は、スライド１０７が圧縮機ケーシング３に隣接して位置決めされたときに、スタッドボルト４５がスライド１０７を貫通して延びることができるように、固定板１０１の貫通孔１２１、１２３と同じ位置に配設された貫通孔１０７Ｂを備える。
【００５６】
次にスライド１０７が棒１０５および固定板１０１を介して圧縮機ケーシング３に連結されるので、弁／ケージ組立体がハウジング３９から不用意に滑り落ちる危険を伴うことなく、ここで滑り止めプラグ１４１を取り外すことができる。このステップは図７Ｋに図示されている。
【００５７】
続いて、図７Ｌに示すように、クランク１１７を回転させて、スライド１０７を圧縮機ケーシング３から離れる方向に移動させる。したがって、弁／ケージ組立体２７、４１は、ねじ棒１１１の回転を通じてスライド１０７により加えられる牽引力によってハウジング３９から引き出される。スライド１０７に設けられた貫通孔１０７Ｃに導入されかつケージ閉塞部材１３３に設けられたねじ孔１３３Ｈに螺合された補助ねじによって、必要に応じて、スライド１０７とケージ閉塞部材１３３との間のより安定した連結を得ることができる。参照番号１５１で表される補助ねじが、図７Ｍに概略的に示されている。
【００５８】
具体的には図１および図７Ｎに示すように、装置１００は、有利には、固定板１０１に拘束された１対の支持部材１４３を備え得る。支持部材１４３は、抜き取り動作中にケージ４１が上に載ることができる球状の先端部を含み得、結果として、弁／ケージ組立体２７、４１の重量は全体がタイロッド１３１により支持されるわけではない。
【００５９】
図７Ｏおよび７Ｐは、弁／ケージ組立体２７、４１の取り外しの最終段階を示している。弁／ケージ組立体の全体がハウジング３９から抜き取られたときに（図７Ｏ）、ケージ４１の開口４２にストラップＳを通すことにより、ケージ４１に係合させるために、前記ストラップＳを使用することができ、タイロッド１３１およびケージ閉塞部材１３３と一緒に、弁／ケージ組立体２７、４１を装置１００から取り外すことができるように、ナット１３７を取り外すことができる（図７Ｐ）。
【００６０】
本明細書で説明した主題の開示された実施形態を、図面に示すとともに、具体的かつ詳細に複数の例示的な実施形態に関連して上で十分に説明してきたが、多くの修正、変更および省略が、本明細書に明記した新規の教示、原理および概念、ならびに添付の特許請求の範囲に列挙した主題の利点から実質的に逸脱することなく、可能であることは当業者には明らかであろう。よって、開示された技術革新の適切な範囲は、かかる修正、変更および省略の全てを包含するように、添付の特許請求の範囲の最も広い解釈によってのみ決定されるべきである。その上、任意の工程または方法ステップの順番または順序を、代替実施形態に従って変更するかまたは並べ替えてもよい。
【符号の説明】
【００６１】
１  往復動圧縮機
３  圧縮機ケーシング
５  シリンダ
７Ａ  第１の室
７Ｂ  第２の室
９  ピストン
１１  ピストンロッド
１３  クロスヘッド
１５  ランナ
１７  連結ロッド
１９  クランクシャフト
２０  シャフト軸線
２１  流体吸込ダクト
２３  自動吸込弁、リング弁
２４  自動吸込弁、リング弁
２５  流体吐出ダクト
２７  自動吐出弁、自動リング弁
２７、４１  弁／ケージ組立体
２９  自動吐出弁、リング弁
３１  弁座
３２  ばね
３３  弁押さえ
３５  中央ねじ
３７  閉鎖リング
３９  ハウジング、弁ハウジング
４１  ケージ
４１Ｅ  円形縁部
４２  開口
４３  弁カバー
４５  スタッドボルト
４６  ナット
４７  保持リングまたはスナップリング
１００  装置
１０１  固定板
１０３  端板
１０５  ロッド、ガイド棒
１０５Ａ  第１の端部
１０５Ｂ  第２の端部
１０７  スライド
１０７Ａ  座部、開口
１０７Ｂ  貫通孔
１０７Ｃ  貫通孔
１０９  ブッシュ
１１１  ねじ棒
１１３  第１の軸受
１１５  第２の軸受
１１７  クランク
１１９  ナット
１２１  貫通孔
１２３  貫通孔
１２７  アイボルト
１３０  連結機構
１３１  タイロッド
１３１Ａ  第１のタイロッド端部
１３１Ｂ  第２のタイロッド端部
１３３  ケージ閉塞部材
１３３Ａ  側方凹部
１３３Ｈ  ねじ孔
１３５  ナット
１３７  ナット
１４１  滑り止めプラグ
１４１Ａ  弾性突起
１４３  支持部材
１５１  補助ねじ
ｆ９  双方向矢印
ｆ１９  矢印
ｆ１０７  双方向矢印
ｆ１４１  矢印
Ｓ  ストラップ
【図１】
2015520345.tif 000003
【図２】
2015520345.tif 000004
【図３】
2015520345.tif 000005
【図４】
2015520345.tif 000006
【図５】
2015520345.tif 000007
【図６】
2015520345.tif 000008
【図７Ａ】
2015520345.tif 000009
【図７Ｂ】
2015520345.tif 000010
【図７Ｃ】
2015520345.tif 000011
【図７Ｄ】
2015520345.tif 000012
【図７Ｅ】
2015520345.tif 000013
【図７Ｆ】
2015520345.tif 000014
【図７Ｇ】
2015520345.tif 000015
【図７Ｈ】
2015520345.tif 000016
【図７Ｉ】
2015520345.tif 000017
【図７Ｊ】
2015520345.tif 000018
【図７Ｋ】
2015520345.tif 000019
【図７Ｌ】
2015520345.tif 000020
【図７Ｍ】
2015520345.tif 000021
【図７Ｎ】
2015520345.tif 000022
【図７Ｏ】
2015520345.tif 000023
【図７Ｐ】
2015520345.tif 000024
【国際調査報告】
2015520345.tif 000025
2015520345.tif 000026
2015520345.tif 000027